(57)【要約】【課題】装置状態を、所定動作モードを実行可能な状態から複数の動作モードを実行可能な状態へ、ユーザの利便性を損なうことなく移行させることができる画像形成装置を提供する。  【解決手段】ＲＯＭ１７４には、動作モードのそれぞれに関する動作モード情報と動作モードのそれぞれに必要な初期化処理に関する初期化処理情報が保持される。ＣＰＵ１７１は、電源投入時またはスリープ状態からの復帰時には、装置状態が標準動作モードを実行可能なスタンバイ状態になるように、標準動作モードに不必要な初期化処理を省略して標準動作モードに必要な初期化処理を実行する。装置状態がスタンバイ状態へ移行した後、ＣＰＵ１７１は、上記動作モード情報および上記初期化処理情報に基づいて、省略された初期化処理を、現在の装置状態において開始するか否かを決定する。【選択図】図１２
2009217144.tif 000002
【特許請求の範囲】
【請求項１】
複数の動作モードを有する画像形成装置であって、
電源投入時またはスリープ状態からの復帰時に、装置状態が所定動作モードを実行可能なスタンバイ状態になるように、前記所定動作モードに不必要な初期化処理を省略して前記所定動作モードに必要な初期化処理を実行する制御手段を備え、
前記制御手段は、装置状態が前記スタンバイ状態へ移行した後、前記省略された初期化処理を前記スタンバイ状態において、または、前記動作モードの実行と並行して実行することを特徴とする画像形成装置。
【請求項２】
前記動作モードのそれぞれに関する動作モード情報と前記動作モードのそれぞれに必要な初期化処理に関する初期化処理情報を保持する保持手段を有し、
前記制御手段は、装置状態が前記スタンバイ状態へ移行した後、前記動作モード情報および前記初期化処理情報を参照して、前記省略された初期化処理を、現在の装置状態において開始するか否かを決定することを特徴とする請求項１記載の画像形成装置。
【請求項３】
前記動作モード情報には、前記動作モードのそれぞれを実行する際の消費電力量情報が含まれ、前記初期化処理情報には、前記初期化処理のそれぞれを実行する際の消費電力量情報が含まれ、
前記制御手段は、前記所定動作モードの消費電力量情報と前記省略された初期化処理の消費電力量情報とに基づいて、前記省略された初期化処理を、現在の装置状態において開始するか否かを決定することを特徴とする請求項１に記載の画像形成装置。
【請求項４】
前記初期化処理情報には、前記初期化処理のそれぞれを実行する際に要する動作時間情報が含まれ、
前記制御手段は、前記省略された初期化処理の動作時間情報に基づいて、前記省略された初期化処理を、現在の装置状態において開始するか否かを決定することを特徴とする請求項１に記載の画像形成装置。
【請求項５】
前記制御手段は、前記スタンバイ状態において、前記省略された初期化処理の実行中に前記動作モードの１つの開始がユーザにより指示されると、前記動作モード情報および前記初期化処理情報を参照して、前記省略された初期化処理を中断するか、前記省略された初期化処理を中断せずに続行するかを決定することを特徴とする画像形成装置。
【請求項６】
所定動作モードを含む複数の動作モードを有する画像形成装置であって、
前記動作モードのそれぞれに関する動作モード情報と前記動作モードのそれぞれに必要な初期化処理に関する初期化処理情報を保持する保持手段と、
前記動作モード情報および前記初期化処理情報を参照して、電源投入時またはスリープ状態からの復帰時に、装置状態が前記所定動作モードを実行可能なスタンバイ状態になるように、前記所定動作モードに不必要な初期化処理を省略して前記所定動作モードに必要な初期化処理を実行する制御手段とを備え、
前記制御手段は、前記スタンバイ状態において、前記省略された初期化処理の実行中に前記動作モードの１つの開始がユーザにより指示されると、前記動作モード情報および前記初期化処理情報を参照して、前記省略された初期化処理を中断するか、前記省略された初期化処理を中断せずに続行するかを決定することを特徴とする画像形成装置。
【請求項７】
所定動作モードを含む複数の動作モードを有するとともに、前記動作モードのそれぞれに関する動作モード情報と前記動作モードのそれぞれに必要な初期化処理に関する初期化処理情報を保持する保持手段を有する画像形成装置を制御するための制御プログラムであって、
前記動作モード情報および前記初期化処理情報を参照して、電源投入時またはスリープ状態からの復帰時に、装置状態が前記所定動作モードを実行可能なスタンバイ状態になるように、前記所定動作モードに不必要な初期化処理を省略して前記所定動作モードに必要な初期化処理を実行するステップと、
装置状態が前記スタンバイ状態へ移行した後、前記動作モード情報および前記初期化処理情報を参照して、前記省略された初期化処理を、現在の装置状態において開始するか否かを決定するステップと
を前記画像形成装置のコンピュータにより実行させることを特徴とする制御プログラム。
【請求項８】
所定動作モードを含む複数の動作モードを有するとともに、前記動作モードのそれぞれに関する動作モード情報と前記動作モードのそれぞれに必要な初期化処理に関する初期化処理情報を保持する保持手段を有する画像形成装置を制御するための制御プログラムであって、
前記動作モード情報および前記初期化処理情報を参照して、電源投入時またはスリープ状態からの復帰時に、装置状態が前記所定動作モードを実行可能なスタンバイ状態になるように、前記所定動作モードに不必要な初期化処理を省略して前記所定動作モードに必要な初期化処理を実行するステップと、
前記スタンバイ状態において、前記省略された初期化処理の実行中に前記動作モードの１つの開始がユーザにより指示されると、前記動作モード情報および前記初期化処理情報を参照して、前記省略された初期化処理を中断するか、前記省略された初期化処理を中断せずに続行するかを決定するステップと
を前記画像形成装置のコンピュータにより実行させることを特徴とする制御プログラム。
【発明の詳細な説明】
【技術分野】
【０００１】
本発明は、複数の動作モードを有する画像形成装置および制御プログラムに関する。
【背景技術】
【０００２】
近年、画像形成装置は、様々な処理を可能にするために、画像形成に加えて、多種の処理（例えばステイプル処理、パンチ処理、製本処理など）を実行可能な装置として構成される場合が多い。このような構成の画像形成装置においては、電源投入に応じて、装置状態が各種の処理を実行可能なスタンバイ状態へ移行するように、可動部の位置決め、画像処理パラメータの初期化、各種センサのレベル合わせなど、各初期化処理が行われる。そして、すべての初期化処理が完了すると、画像形成装置は、各種の処理の開始指示を受け付け可能なスタンバイ状態になる。
【０００３】
しかしながら、多種の処理を実行可能な装置として構成された画像形成装置においては、実行すべき初期化処理の数が多く、すべての初期化処理が完了するまでに長い時間が掛かる。その結果、画像形成装置の装置状態を上記スタンバイ状態にするまでに要する時間が長くなり、ユーザの利便性が損なわれることになる。
【０００４】
そこで、ユーザにより指定されたモードに必要な初期化処理のみを行うことにより、装置状態が上記指定されたモードを実行可能な状態にするまでに要する時間を短縮する技術が提案されている（例えば特許文献１および２参照）。
【特許文献１】特開２００６−１０６２１９号公報
【特許文献２】特開２００５−１４８４７９号公報
【発明の開示】
【発明が解決しようとする課題】
【０００５】
上述した従来の技術においては、上記指定されたモードの実行に必要な初期化処理のみが行われ、当該指定されたモードに不必要な初期化処理は省略される。よって、例えば上記指定されたモードを実行可能な状態中に異なるモードが選択された場合、この選択されたモードを実行可能にするために、当該選択されたモードの実行に必要な初期化処理を行う必要がある。その結果、装置状態が上記選択されたモードを実行可能な状態になるまでの余分な時間を、ユーザは待つ必要があり、ユーザの利便性が損なわれることになる。
【０００６】
本発明の目的は、装置状態を、所定動作モードを実行可能な状態から複数の動作モードを実行可能な状態へ、ユーザの利便性を損なうことなく移行させることができる画像形成装置および制御プログラムを提供することにある。
【課題を解決するための手段】
【０００７】
本発明は、上記目的を達成するため、複数の動作モードを有する画像形成装置であって、電源投入時またはスリープ状態からの復帰時に、装置状態が所定動作モードを実行可能なスタンバイ状態になるように、前記所定動作モードに不必要な初期化処理を省略して前記所定動作モードに必要な初期化処理を実行する制御手段を備え、前記制御手段は、装置状態が前記スタンバイ状態へ移行した後、前記省略された初期化処理を前記スタンバイ状態において、または、前記動作モードの実行と並行して実行することを特徴とする画像形成装置を提供する。
【０００８】
本発明は、上記目的を達成するため、所定動作モードを含む複数の動作モードを有する画像形成装置であって、前記動作モードのそれぞれに関する動作モード情報と前記動作モードのそれぞれに必要な初期化処理に関する初期化処理情報を保持する保持手段と、前記動作モード情報および前記初期化処理情報を参照して、電源投入時またはスリープ状態からの復帰時に、装置状態が前記所定動作モードを実行可能なスタンバイ状態になるように、前記所定動作モードに不必要な初期化処理を省略して前記所定動作モードに必要な初期化処理を実行する制御手段とを備え、前記制御手段は、前記スタンバイ状態において、前記省略された初期化処理の実行中に前記動作モードの１つの開始がユーザにより指示されると、前記動作モード情報および前記初期化処理情報を参照して、前記省略された初期化処理を中断するか、前記省略された初期化処理を中断せずに続行するかを決定することを特徴とする画像形成装置を提供する。
【０００９】
また、本発明は、上記目的を達成するため、画像形成装置の制御プログラムを提供する。
【発明の効果】
【００１０】
本発明によれば、装置状態を、所定動作モードを実行可能な状態から複数の動作モードを実行可能な状態へ、ユーザの利便性を損なうことなく移行させることができる。
【発明を実施するための最良の形態】
【００１１】
以下、本発明の実施の形態について図面を参照しながら説明する。
【００１２】
図１は本発明の一実施の形態に係る画像形成装置の主要部の構成を模式的に示す縦断面図である。図２は図１の画像形成装置における用紙のフェイスダウン排紙、フェイスアップ排紙を行う際の用紙の搬送経路を模式的に示す図である。図３は図１のフィニッシャの主要部の構成を模式的に示す縦断面図である。
【００１３】
画像形成装置は、図１に示すように、自動原稿給紙装置１１７および原稿読取装置１１８を搭載する本体１００および当該本体１００に接続されるフィニッシャ（シート処理装置）１１９を備える。自動原稿給紙装置１１７は、積載された原稿を１枚ずつ原稿読取装置１１８に給紙する。原稿読取装置１１８は、自動原稿給紙装置１１７から給紙された原稿を読み取り、読み取られた原稿の画像データを出力する。
【００１４】
本体１００は、複数のプロセスユニット１０２ｙ，１０２ｍ，１０２ｃ，１０２ｋを有する。各プロセスユニット１０２ｙ，１０２ｍ，１０２ｃ，１０２ｋは、感光ドラム、現像器、帯電ローラ、感光ドラムクリーナなどから構成され、それぞれイエロー、マゼンダ、シアン、ブラックのトナー像を形成する。各プロセスユニット１０２ｙ，１０２ｍ，１０２ｃ，１０２ｋの現像器には、それぞれ対応するトナーボトル１０１ｙ，１０１ｍ，１０１ｃ，１０１ｋから対応する色のトナーが供給される。トナーボトル１０１ｙ，１０１ｍ，１０１ｃ，１０１ｋには、それぞれイエロー、マゼンダ、シアン、ブラックのトナーが充填されている。
【００１５】
各プロセスユニット１０２ｙ，１０２ｍ，１０２ｃ，１０２ｋの感光ドラムは、それぞれ対応するレーザスキャナユニット１０３ｙ，１０３ｍ，１０３ｃ，１０３ｋから照射されるレーザ光により露光走査される。これにより、各感光ドラムには、対応する色の静電潜像が形成される。各レーザスキャナユニット１０３ｙ，１０３ｍ，１０３ｃ，１０３ｋは、それぞれ、後述するレーザ駆動部（図４）により生成された駆動信号を基づいて、レーザ光を発光し、当該レーザ光を対応する感光ドラムに照射する。各感光ドラム上に形成された静電潜像は、それぞれ対応する現像器から供給されたトナーにより対応する色のトナー像として可視像化される。
【００１６】
各感光ドラム上のトナー像は、それぞれ対応する一次転写ローラ１０５ｙ，１０５ｍ，１０５ｃ，１０５ｋにより、中間転写ベルト１０４上に順に重ね合わされて転写される（一次転写）。中間転写ベルト１０４上に重ね合わされて転写されたトナー像は、二次転写ローラ１０６により、複数の用紙カセット１０９の１つまたは手差しトレイ１１１から給紙された用紙上に転写される（二次転写）。二次転写後に、中間転写ベルト１０４に残留したトナーは、中間転写ベルトクリーナ１０７により回収される。中間転写ベルト１０４の近傍位置には、反射光量センサ２０８が配置されている。反射光量センサ１０８は、色ずれ補正のほか、トナー濃度レベルの安定化に使用される。
【００１７】
各用紙カセット１０９には、対応するサイズの用紙が収納されており、当該用紙はピックアップローラ１１０により送り出され、レジストレーションローラ１１２に向けて搬送される。レジストレーションローラ１１２は、搬送された用紙の斜行を補正した後に、所定のタイミングで二次転写ローラ１０６に向けて送り出す。
【００１８】
上記トナー像が転写された用紙は、定着ユニット１１３に送られる。定着ユニット１１３は、定着ローラ１１３ａおよび加圧ローラ１１３ｂを有し、定着ローラ１１３ａと加圧ローラ１１３ｂとの間には、用紙を狭持搬送するニップ部が形成される。用紙が上記ニップ部を通過する際に、用紙上のトナー像は加熱、加圧されて用紙上に定着される。
【００１９】
定着ユニット１１３を通過した用紙は、排紙フラッパ１１５の切り換え動作に応じて、排紙トレイ１１６またはフィニッシャ（シート処理装置）１１９に送られる。ここで、排紙トレイ１１６への用紙の排紙に関しては、図２に示すように、用紙を画像形成面が下方に向くようにして排紙するフェイスダウン排紙（ＦＤ）を行うことができる。このフェイスダウン排紙の場合、用紙は、図中の点線で示す経路に沿って排紙される。また、用紙を一旦フィニッシャ１１９側へ搬送した後に、用紙を排紙トレイ１１６へ導くように排紙フラッパ１１５を切り換え動作させることにより、用紙を画像形成面が上方に向くようにして排紙するフェイスアップ排紙（ＦＵ）を行うことができる。このフェイスアップ排紙の場合、用紙は、図中の実線で示す経路に沿って排紙される。
【００２０】
フィニッシャ１１９は、図３に示すように、穿孔処理を行うシート穿孔装置６００と、スタック処理装置７００から構成される。
【００２１】
シート穿孔装置６００は、本体１００から搬送された用紙を搬送路６０１に沿って搬送するためのパンチ搬送ローラ６２０と、用紙に対して穿孔処理を行うパンチユニット６１０を有する。パンチ搬送ローラ６２０は、パンチ搬送モータＭ１により駆動される。搬送路６０１上には、用紙の先端を検出するための用紙検出センサＳ３が設けられている。パンチユニット６１０は、用紙搬送方向と直交する方向に動作する横レジストレーションユニット（以下、横レジユニットという）６１１に搭載されている。横レジユニット６１１には、横レジ検知センサＳ４（図示せず）が設けられており、横レジ検知センサＳ４は、用紙の端部（用紙搬送方向に沿う端部）を検知する。この横レジ検知センサＳ４が検知した用紙の端部から所定の距離にある位置に対して、パンチユニット６１０により穿孔処理が行われる。横レジ検知センサＳ４は、穿孔位置の位置決め精度を高めるために、フラグを用いた方式ではなく光学透過型センサからなる。穿孔処理が行われたときに発生するパンチ屑は、パンチ屑箱６１２へ収納される。
【００２２】
用紙検出センサＳ３が用紙の先端を検出すると同時に、横レジユニット６１１は、用紙搬送方向と直交する方向に移動する。そして、横レジ検知センサＳ４が用紙の端部（用紙搬送方向に沿う端部）を検出すると、横レジユニット６１１は、検出された用紙の端部から所定の距離にある位置に停止する。
【００２３】
スタック処理装置７００は、本体１００からシート穿孔装置６００を経て搬送された用紙を搬送路７０１に沿って搬送する入口搬送ローラ７２１、バッファローラ７２４および排紙搬送ローラ７２６を有する。これらのローラ７２１，７２４，７２６は、入口搬送モータＭ２により駆動される。搬送路７０１上には、用紙の位置を検知するための入口センサＳ１および排紙前センサＳ２が設けられている。
【００２４】
また、スタック処理装置７００は、束出し搬送モータＭ３により駆動される束出しローラ７２７および処理トレイ７２９を有する。束出しローラ７２７は、一対のローラからなり、一方が他方に対して上方に移動して離間し、または一方が他方に対して押し付けられるように動作する。具体的には、束出しローラ７２７は、一方が他方に対して上方に移動して離間するように、一方が自重で他方に対して押し付けられるように、または一方が所定の押圧力で他方に対して押し付けられるようにそれぞれ動作する。この束出しローラ７２７の動作は、揺動ユニット７３７により制御される。
【００２５】
処理トレイ７２９は、搬送路７０１を経て搬送された用紙を積載するトレイである。この処理トレイ７２０への１枚目の用紙の積載時には、束出しローラ７２７は、用紙を受け取るために、一方が他方に対して離間した状態にある。そして、用紙の後端が排紙前センサＳ２により検知されると、揺動ユニット７３７は束出しローラ７２７を動作させ、束出しローラ７２７の一方と他方が離間した状態から一方が自重で他方に対して押し付けられ、その一方は用紙上に着地する。この動作後に、束出しローラ７２７の回転駆動は停止される。用紙が束出しローラ７２７の一方と他方の間に挟持された状態で、揺動ユニット７３７は束出しローラ７２７を動作させ、束出しローラ７２７の一方が所定の押圧力で他方に対して押し付けられる。そして、束出しローラ７２７は、用紙搬送方向と逆方向に回転駆動される。これにより、用紙は、用紙搬送方向と逆方向へ戻され、処理トレイ７２９上に積載される。
【００２６】
次いで、束出しローラ７２７は、次用紙を受け取るために、一方が他方に対して上方に移動して離間する状態になるように動作する。そして、次用紙を積載する際には、束出しローラ７２７は、上述した動作を行う。
【００２７】
処理トレイ７２９には、用紙が、整合ユニット７４４による整合処理により、端部が揃えられた状態で束状に積載される。処理トレイ７２９上に所定枚数の用紙が束状に積載されると、その用紙束が、ステイプルユニット７３２により綴じられる。ステイプルユニット７３２は、そのクリンチユニット７６６をスライドさせることによって、用紙束の綴じ位置を変更することが可能である。
【００２８】
処理トレイ７２９上の用紙束がステイプルユニット７３２により綴じられると、揺動ユニット７３７は束出しローラ７２７を動作させ、束出しローラ７２７の一方と他方の間に用紙束を狭侍搬送するためのニップ部を形成する。そして、後端アシストユニット７３４が用紙束を後端から押し出す。これにより、用紙束は、スタックトレイ１２８へ排出される。
【００２９】
次に、本画像形成装置の制御構成について図４〜図９を参照しながら説明する。図４は図１の画像形成装置の制御構成を示すブロック図である。図５は図４の画像メモリ部３００の構成を示すブロック図である。図６は図４の外部Ｉ／Ｆ処理部４００の構成を示すブロック図である。図７は図１のレーザスキャナユニット１０３ｙ，１０３ｍ，１０３ｃ，１０３ｋの構成を模式的に示す斜視図である。図８はポリゴンモータ５０２の白黒高速プリント時のスピードに対応する回転数までの立ち上げとカラープリント時のスピードに対応する回転数までの立ち上げの状態を模式的に示す図である。図９は図４のフィニッシャ制御部２１１の構成を示すブロック図である。
【００３０】
画像形成装置は、図４に示すように、ＣＰＵ１７１を備える。ＣＰＵ１７１は、ＲＯＭ１７４に格納されているプログラムに従って、装置の制御を行う。ＣＰＵ１７１が制御を行う際、ＲＡＭ１７５がＣＰＵ１７１の作業領域を提供する。ＣＰＵ１７１には、操作部１７２、Ｉ／Ｏ（入出力インタフェース）１７３、外部Ｉ／Ｆ処理部４００、画像メモリ部３００、レーザ駆動部２００およびフィニッシャ制御部２１１が接続されている。
【００３１】
操作部１７２は、画像形成に関するモードの設定などを行うためのキー群と、設定されたモード、装置状態などを表示する表示パネルを有する。Ｉ／Ｏ１７３は、本体１００およびフィニッシャ１１９に設けられている各種センサからの検知信号を入力し、またモータ、ソレノイド、クラッチなどの駆動源を制御するための制御信号を出力する。
【００３２】
外部Ｉ／Ｆ処理部４００は、ＰＣ（パーソナルコンピュータ）などの外部装置との間で、画像データ、処理データなどのデータの送受信を行う。画像メモリ部３００は、画像データを一時的に保持する。レーザ駆動部２００は、画像メモリ部３００から転送されたライン毎の画像データに基づいて、各レーザスキャナユニット１０３ｙ，１０３ｍ，１０３ｃ，１０３ｋを駆動するための駆動信号をそれぞれ生成する。フィニッシャ御部２１１は、ＣＰＵ１７１からの命令に基づいてフィニッシャ１１９の動作を制御する。
【００３３】
ここで、上記画像メモリ部３００は、図５に示すように、ＤＲＡＭなどのメモリから構成されるページメモリ３０１、メモリコントローラ３０２および圧縮データ伸張処理部３０３を有する。メモリコントローラ３０２は、外部Ｉ／Ｆ処理部４００を介して受信した画像データをページメモリ３０１に書き込み、またページメモリ３０１から画像データを読み出し、レーザ駆動部２００へ転送するように制御する。ここで、外部Ｉ／Ｆ処理部４００を介して受信した画像データが圧縮データである場合、当該画像データは、圧縮データ伸張処理部３０３により伸張処理が施された後に、メモリコントローラ３０２を介してページメモリ３０１へ書き込まれる。
【００３４】
外部Ｉ／Ｆ処理部４００は、図６に示すように、外部装置５００から送信された画像データおよびコマンドデータをＵＳＢＩ／Ｆ４０１、セントロＩ／Ｆ４０２、またはネットワークＩ／Ｆ４０３を介して受信する。ここで、受信した画像データは画像メモリ部３００に、コマンドデータはＣＰＵ１７１に送られる。ＣＰＵ１７１は、上記コマンドに基づいて、レーザ駆動部２００およびフィニッシャ１１９を制御して、プリントを実行する。また、外部Ｉ／Ｆ処理部４００は、ＣＰＵ１７１からのレーザ駆動部２００の状態情報などを、外部装置５００に対して送信する。ここで、外部装置５００は、例えばＰＣ（パーソナルコンピュータ）などからなる。
【００３５】
上記レーザスキャナユニット１０３ｙ，１０３ｍ，１０３ｃ，１０３ｋは、図７に示すように、レーザダイオード５０１を有する。このレーザダイオード５０は、レーザ駆動部２００により生成された駆動信号に基づいて駆動され、レーザ光を発光する。このレーザ光は、ポリゴンモータ５０２によって回転駆動されるポリゴンミラー５０３により、左右に走査され、ｆ−θレンズ５０４および折り返しミラー５０５を経て感光ドラム５０６に照射される。このレーザ光の照射により、感光ドラム５０６上には静電潜像が形成される。ここで、ｆ−θレンズ５０４の近傍には、レーザ光を検知するためのビーム検知センサ５０７が配置されている。
【００３６】
本画像形成装置は、複数のプロセススピードを有する。感光ドラム５０６は、複数のプロセススピード（例えば白黒プリント時のスピード、カラープリント時のスピード）のうち、選択されたプロセススピードで回転するように制御される。また、ポリゴンミラー５０３の回転速度は、プロセススピードに対応する回転速度になるように可変される。即ち、ポリゴンモータ５０２は、その回転数がプロセススピードに対応する回転数になるように駆動される。
【００３７】
例えば図８に示すように、上記ポリゴンモータ５０２が、まず、その回転数が白黒高速プリント時のスピードに対応する回転数ｒ１に達するように駆動されるとする。この場合、上記ポリゴンモータ５０２の回転数が上記回転数ｒ１に安定して保持されるまでに要する時間は、時間Ｔ１秒（本実施の形態の場合約４秒）である。上記ポリゴンモータ５０２の回転数が上記回転数ｒ１に安定して保持されると、白黒高速プリントが可能な状態になる。
【００３８】
その後、上記ポリゴンモータ５０２の回転数が下げられ、カラープリント時のスピードに対応する回転数ｒ２（＜ｒ１）に達するように、上記ポリゴンモータ５０２が駆動されるとする。この場合、上記ポリゴンモータ５０２の回転数が上記回転数ｒ２に安定して保持されるまでに要する時間は、時間Ｔ２秒（本実施の形態の場合約４秒）である。上記ポリゴンモータ５０２の回転数が上記回転数ｒ２に安定して保持されると、カラープリントが可能な状態になる。
【００３９】
ここで、最初に、上記ポリゴンモータ５０２の回転数をゼロから白黒高速プリント時のスピードに対応する回転数ｒ１までに立ち上げる場合の回転数の差は、ｒ１である。これに対し、上記ポリゴンモータ５０２の回転数を回転数ｒ１からｒ２までに低下させる場合の回転数の差は、（ｒ１−ｒ２）である。よって、回転数の差は前者の方が大きくなるが、前者の場合の時間Ｔ１と後者の場合の時間Ｔ２は、ほぼ同じである。これは、高速白黒プリント時の回転速度で回転するポリゴンミラーの慣性の影響によるものと考えられる。
【００４０】
フィニッシャ制御部２１１は、図９に示すように、ＣＰＵ２２１、ＲＯＭ２２２およびＲＡＭ２２３を有する。また、フィニッシャ制御部２１１には、各種のセンサが接続されている。例えばスタック処理装置７００に設けられている入口パスセンサＳ１、排紙前センサＳ２、紙面検知センサ２２４などを含む複数のセンサが接続されている。ここで、紙面検知センサ２２４は、紙面検知レバー（図示せず）の動作に基づいて、スタックトレイ１２８上に排紙、積載されている用紙の紙面を検知するセンサである。この紙面検知センサ２２４の検知信号は、スタックトレイ１２８の昇降動作の制御に用いられる。また、フィニッシャ制御部２１１には、シート穿孔装置６００に設けられている用紙検知センサＳ３、横レジ検知センサＳ４を含む複数のセンサが接続されている。
【００４１】
ＣＰＵ２２１は、本体１００のＣＰＵ１７１からの命令に基づいて、ＲＡＭ２２３を作業領域として、ＲＯＭ２２２に格納されているシート処理装置１１９の制御順序（シーケンス）を実行する。そして、ＣＰＵ２２１は、各種センサからの検知信号を監視しながら、制御順序（シーケンス）に従い、各モータＭ１〜Ｍ１３、各ソレノイドＳＬ１〜ＳＬ４、各クラッチＣＬ１，ＣＬ２の動作を制御する。
【００４２】
次に、本画像形成装置の初期化処理について説明する。上記初期化処理としては、例えば以下のようなものがある。
Ａ．プリンタ関連
（Ａ１）定着加熱処理
この処理は、定着ユニット１１３を定着可能温度になるまで加熱するための処理である。
【００４３】
（Ａ２）用紙カセットのリフトアップ処理
この処理は、用紙カセット内の用紙をピックアップ可能な位置まで持ち上げる処理である。本実施の形態においては、２つの用紙カセットが搭載されており、初期化時には、２つの用紙カセットのうち、１つの用紙カセットが持ち上げられる。
【００４４】
（Ａ３）両面レジ合わせ機構の初期化
この処理は、用紙の表面の画像の形成位置と裏面の画像の形成位置を合わせる機構を初期化するための処理である。
【００４５】
（Ａ４）プロセスユニット初期化処理
この処理は、感光ドラムを回転させ、帯電処理を行い、電位を均一にするとともに、表面に付着したトナーをクリーニングする処理である。この処理においては、感光ドラムが接している中間転写ベルトおよび二次転写ローラを回転させる必要がある。
【００４６】
（Ａ５）中間転写ベルトクリーニング処理
この処理は、中間転写ベルト１０４を回転させ、中間転写ベルトクリーナ１０７で残留トナーを回収する処理である。この処理においては、中間転写ベルト１０４とともに、感光ドラムを回転させる必要がある。
【００４７】
（Ａ６）搬送路用紙検出処理
この処理は、搬送路上に配置したセンサにより検知することができない残り用紙を検知するための処理である。この処理においては、用紙の搬送のためのローラを回転させる必要がある。このローラには、二次転写ローラが含まれ、二次転写ローラを回転させるためには、中間転写ベルトおよび感光ドラムを回転させる必要がある。
【００４８】
（Ａ７）色ずれ補正処理
この処理は、中間転写ベルト１０４上に４色のパターン画像を形成し、反射光量センサ１０８によるパターン画像の読み取り結果に基づいてずれ量および補正量を算出する処理である。４色のパターン画像を形成するためには、プロセスユニット、中間転写ベルトのクリーニングなどの初期化、トナー補給、センサの調整などを終了させておく必要があるとともに、プロセスユニット、中間転写ベルト、二次転写ローラを回転させる必要がある。
【００４９】
（Ａ８）ステッピングモータの位相合わせ処理
ステッピングモータは、電流が流れていないとき、電磁石と磁石の極の位置が保証されない。従って、ステッピングモータに電流を流して駆動波形を印加したときに、ステッピングモータは、ステップ角よりも大きく回転することとなり、脱調する可能性がある。そのため、ステッピングモータに自起動周波数で１周期分の駆動波形を印加し、保持電流を印加する位相合わせ処理を行う必要がある。
【００５０】
（Ａ９）反射光量センサ調整処理
この処理は、トナー像が転写されていない中間転写ベルト１０４を反射光量センサ１０８で読み取り、そのときのレベルを基本レベルとして取得する処理である。読み取る中間転写ベルト１０４の位置による変動を無くすために、中間転写ベルト１０４を回転させて反射光量センサ１０８による複数個所の読み取りレベルを使用する必要がある。また、中間転写ベルト１０４を回転させるために、感光ドラムを回転させる必要がある。
【００５１】
（Ａ１０）トナー補給処理
この処理は、現像器内のトナーの残量に応じて、トナーボトルからプロセスユニットの現像器へトナーを補給する処理である。特に初期状態においては、中間転写ベルト１０４に所定の画像パターンが形成され、４色それぞれの濃度（反射光量センサ１０８の読み取り値から算出）が所定値になるように、トナーの補給量が調整される。従って、プロセスユニット、中間転写ベルト１０８のクリーニング処理などの初期化処理、反射光量センサ調整処理などを終了させておく必要があるとともに、プロセスユニット、中間転写ベルト１０４、二次転写ローラ１０６を回転させる必要がある。
【００５２】
Ｂ．リーダ関連
（Ｂ１）原稿搬送路原稿検出処理
この処理は、自動原稿給紙装置１１７内に残留する原稿を検出する処理である。自動原稿給紙装置１１７内の用紙の検出は、原稿の搬送路に配置したセンサにより行う。また、センサ間にある原稿を検出するために、原稿の搬送駆動を行う必要がある。
【００５３】
（Ｂ２）光学系位置決め処理
この処理は、原稿の正しい位置を読み取るために、読み取り光学系の位置決めを行う処理  である。
【００５４】
（Ｂ３）シェーディング補正処理
このシェーディング補正処理には、読み取り光量の設定処理などの画像関連初期化処理が含まれる。
【００５５】
Ｃ．フィニッシャ関連
（Ｃ１）束出しローラ位置決め処理
この処理は、束出しローラ７２７の位置決めを行う処理である。１枚目の用紙のために、揺動ユニット７３７が動作し、束出しローラ１２７の一方が自重で他方に対して押し付けられるような位置決めが行われる。揺動ユニット７３７の動作は、束だし搬送モータＭ３を駆動することにより行われる。
【００５６】
（Ｃ２）ステイプル位置決め処理
この処理は、クリンチユニット（ステイプルユニット）のスライドのための初期位置を決める処理である。クリンチユニットを、待機位置（図３の手前位置）から綴じ位置まで移動させる（図３の手前奥方向への移動）ために、クリンチユニットの初期位置を決める必要がある。このクリンチユニットの移動は、独立したモータ（図示せず）により行われる。
【００５７】
（Ｃ３）スタックトレイ位置決め処理
この処理においては、用紙が積載される前のスタックトレイ１２８の初期位置が決められ、この初期位置を基準としてスタックトレイが昇降する。また、初期位置へ移動させるためのスタックトレイ１２８の昇降動作は、高速で行われるため、その動作で消費される消費電力量は大きくなる。
【００５８】
（Ｃ４）パンチ位置決め処理
この処理は、シート穿孔装置６００の横レジ位置検出のための待機位置を設定する処理である。これは、パンチユニット６１０による用紙に対する穿孔位置の精度を上げるために行われる。
【００５９】
（Ｃ５）パンチ退避処理
この処理は、シート穿孔装置６００を待機位置へ退避させる処理である。
【００６０】
本画像形成装置は、標準動作モード（例えば後述するＦＤ排紙コピーモード）を含む複数の動作モード（ＦＤ排紙コピーモード、ＦＵ排紙コピーモードなど）を有する。本画像形成装置においては、後述する動作モード情報および初期化処理情報を参照して、電源投入時またはスリープ状態からの復帰時には、標準動作モードに不必要な初期化処理を省略して標準動作モードに必要な初期化処理が実行される。これにより、標準動作モードが立ち上げられ、装置状態は標準動作モードを実行可能なスタンバイ状態に移行する。ここで、標準動作モードに不必要な初期化処理としては、複数の初期化処理が、また、標準動作モードに必要な初期化処理としては、複数の初期化処理がある。
【００６１】
装置状態が上記スタンバイ状態に移行すると、上記省略された初期化処理のそれぞれに対して、現在の装置状態中に開始するか否かの決定が行われる。現在の装置状態とは、上記スタンバイ状態への移行後の装置状態である。この装置状態としては、上記スタンバイ状態への移行後に継続されるスタンバイ状態、ユーザにより所望の動作モードの開始が指示されて当該動作モードが実行されている状態、上記動作モードの終了後に移行するスタンバイ状態がある。
【００６２】
ここで、ＲＯＭ１７４（保持手段）には、動作モードのそれぞれに関する動作モード情報と、動作モードのそれぞれに必要な初期化処理に関する初期化処理情報が保持されている。上記動作モード情報は、動作モード毎に必要な１つ以上のユニットを示す情報であり、上記初期化処理情報は、初期化処理の一覧とそれぞれの初期化処理において動作させる１つ以上のユニットを示す情報である。
【００６３】
上記動作モード情報および上記初期化処理情報の詳細について図１０および図１１を参照しながら説明する。図１０は動作モード情報の一例をテーブル形式で示す図である。図１１は初期化処理情報の一例をテーブル形式で示す図である。
【００６４】
上記動作モード情報は、例えば図１０に示すようなテーブル形式で記述することができる。本例の動作モード情報の場合、ＦＤ排紙コピーモード、ＦＵ排紙コピーモード、スタックトレイ排紙コピーモード、ステイプルコピーモードなどの各動作モードをそれぞれ実行するために必要な１つ以上のユニットが示されている。ここで、各動作モードをそれぞれ実行するために必要なユニットは、「二重丸」の記号で示されている。また、動作モード毎に、必要な消費電力値（消費電力値情報）が示されている。この消費電力値は、対応するユニットを動作させた場合に消費される設計上の電力値である。
【００６５】
また、上記初期化処理情報は、例えば図１１に示すようなテーブル形式で記述することができる。本例の場合、初期化処理毎に、動作時間（動作時間情報）と消費電力量（消費電力量情報）が対応付けられており、この動作時間および消費電力量は、それぞれ設計上の値である。
【００６６】
ここで、初期化処理において初期化すべきユニットまたは当該初期化処理に使用されるユニットは、「二重丸」の記号で示される。このようなユニットは、排他ユニットと呼ぶことにする。上記排他ユニットは、初期化処理のためにのみ動作することが許され、他の処理のための動作と並行して動作することは許されない。
【００６７】
また、「三角形」の記号で示すユニットは、上記排他ユニット（「二重丸」の記号で示すユニット）の初期化処理または当該ユニットを使用する初期化処理に伴い動作するもので、非排他ユニットと呼ぶことにする。上記非排他ユニットに関しては、初期化処理時において、排他ユニットの動作と並行して他の処理のために動作することが許される。
【００６８】
また、各初期化処理において「−」の記号で示すユニットは、その初期化処理に関係しないものである。
【００６９】
例えば、上述した初期化処理の１つである、中間転写ベルト１０４のクリーニング処理（Ａ５）は、中間転写ベルト１０４を回転させると同時に感光ドラムを回転させる必要がある。この初期化処理において、中間転写ベルト１０４は排他ユニットである。よって、中間転写ベルト１０４を回転させて中間転写ベルト１０４上の残留トナーを回収するための動作を、例えばトナー像を転写するための動作と並行して行うことは許されない。これに対し、中間点転写ベルト１０７の回転に伴い回転する感光ドラム（プロセスユニット）は、非排他ユニットとなる。
【００７０】
本実施の形態においては、上記標準モードとして、白黒モードで、用紙の片面に画像形成を行い、当該用紙の画像形成面を下向きして用紙を排紙トレイ１１６上に排紙するＦＤ排紙コピーモードが設定されている。そして、電源投入時またはスリープ状態からの復帰時には、上記動作モード情報および上記初期化処理情報を参照して、ＦＤ排紙コピーモードに不必要な初期化処理は省略され、ＦＤ排紙コピーモードに必要な初期化処理が実行される。
【００７１】
ここで、上記ＦＤ排紙コピーモードに必要な初期化処理としては、複数の初期化処理がある。これらの初期化処理には、プロセスユニット、中間転写ベルト、搬送路、原稿搬送路、光学系、光源のそれぞれのユニットの初期化処理またはそれらのユニットを使用する初期化処理が含まれる。また、省略される初期化処理としては、複数の初期化処理がある。これらの初期化処理には、フィニッシャ搬送路、束出しローラ、ステイプラ、スタックトレイ、パンチの各ユニットの初期化処理またはそれらのユニットを使用する初期化処理が含まれる。
【００７２】
ＦＤ排紙コピーモードに必要な初期化処理のそれぞれが完了すると、画像形成装置の装置状態は、ＦＤ排紙コピーモードを実行可能なスタンバイ状態（ＦＤ橋コピーモードによるコピー動作を実行可能な状態）になる。ここで、装置状態が上記スタンバイ状態になると、その旨を示す情報が操作部１７２に表示される。例えば、操作部１７２のコピースタートキーのランプが緑色に点灯される。また、外部Ｉ／Ｆ処理部４００を介して外部装置５００に、画像データを受信可能な状態であることを示すコマンド（レディステータス）が送信される。
【００７３】
装置状態が上記スタンバイ状態になると、省略された初期化処理のそれぞれに対して、当該省略された初期化処理を現在の装置状態において開始するか否かを決定するための決定処理が行われる。そして、上記省略された初期化処理のそれぞれは、上記決定に従い、開始される。
【００７４】
上記省略された初期化処理を現在の装置状態において開始するか否かを決定するための決定処理について図１２を参照しながら説明する。図１２は上記省略された初期化処理を現在の装置状態において開始するか否かを決定するための決定処理の手順を示すフローチャートである。図１２のフローチャートに示す手順は、ＣＰＵ１７１により、ＲＯＭ１７４に格納されているプログラムに従って、実行されるものである。ここでは、ＦＤ排紙コピーモードに不必要な初期化処理（省略された初期化処理）の１つである初期化処理Ａを現在の装置状態において開始するか否かを決定する場合を説明する。
【００７５】
上記決定処理は、現在の装置状態が、スタンバイ状態（ＦＤ排紙コピーモードまたは他の動作モードの実行後に移行したスタンバイ状態を含む）、ＦＤ排紙コピーモードまたは他の動作モードの実行中のいずれの状態にあっても、実行されるものである。この決定処理は、ＦＤ排紙コピーモードに必要な初期化処理の全てが完了して装置状態がＦＤ排紙コピーモードを実行可能なスタンバイ状態へ移行すると、開始される。上記決定処理は、省略された初期化処理のそれぞれに対して順番に所定の間隔（例えば１００ｍｓの間隔）で実行される。そして、上記決定処理は、すべての省略された初期化処理が完了すると、終了される。
【００７６】
ＣＰＵ１７１は、図１２に示すように、まず、現在の装置状態がスタンバイ状態であるか否かを判定する（ステップＳ１０１）。ここで、現在の装置状態がスタンバイ状態であると判定された場合、ＣＰＵ１７１は、現在の装置状態（スタンバイ状態）において初期化処理Ａを開始することを決定する（ステップＳ１０２）。そして、ＣＰＵ１７１は、本処理を終了する。
【００７７】
このように、初期化処理Ａを開始するか否かを決定する際の現在の装置状態がスタンバイ状態にあるときには、無条件に初期化処理Ａの開始が決定されることになる。そして、この決定に従い、ＣＰＵ１７１は、対応するユニットを動作させて、初期化処理を実行するように制御する。
【００７８】
上記ステップＳ１０１において現在の装置状態がスタンバイ状態でないと判定された場合、現在の装置状態は、複数の動作モードのうちの１つの動作モード（例えばＦＤ排紙コピーモードなど）が実行中である。この場合、ＣＰＵ１７１は、上記動作モード情報および上記初期化処理情報を参照して、初期化処理Ａに必要な消費電力量と現在の動作モードに必要な消費電力量を加算した総電力量Ｗを求める（ステップＳ１０３）。総電力量Ｗは、初期化処理Ａと現在の動作モードとを並行して実行する場合に必要とされる電力量である。
【００７９】
次いで、ＣＰＵ１７１は、上記総電力量Ｗが予め設定されている電力量Ｗｔｈ以上であるか否か（Ｗ≧Ｗｔｈの関係式が成立するか否か）を判定する（ステップＳ１０４）。上記総電力量Ｗｔｈとしては、例えば本画像形成装置に予め割り付けられている定格電力（例えば１２００Ｗ）が設定される。ここで、Ｗ≧Ｗｔｈの関係式が成立すると判定された場合、総電力量Ｗが上記電力量Ｗｔｈ（定格電力１２００Ｗ）以上であり、初期化処理Ａを現在の動作モードと並行して実行することは許されないことになる。よって、ＣＰＵ１７１は、初期化処理Ａを、現在の装置状態（動作モードの実行中）において開始することを決定せずに、本処理を終了する。
【００８０】
例えば、ＦＤ排紙コピーモードの実行中に、スタックトレイ位置決め処理（初期化処理Ａ）を実行する場合、必要な総電力量Ｗは、１５００Ｗ（＝１０００Ｗ＋５００Ｗ）となる。この場合、総電力量Ｗは、上記Ｗｔｈ（＝１２００Ｗ）を超えることになり、ＦＤ排紙コピーモードの実行中には、スタックトレイ位置決め処理（初期化処理Ａ）を開始することはできない。
【００８１】
上記ステップＳ１０４においてＷ≧Ｗｔｈの関係式が成立しないと判定された場合、ＣＰＵ１７１は、初期化処理Ａの排他ユニットに該当するユニットが現在の装置状態において動作中であるか否かを判定する（ステップＳ１０５）。ここで、例えば現在の装置状態がＦＤ排紙コピーモードの実行中である場合、フィニッシャ１１９のステイプラ、スタックトレイなどの各ユニットは、使用されない。よって、ＦＤ排紙コピーモードの実行中において、初期化処理Ａの排他ユニットに該当するユニットが上記ユニットのいずれかである場合、初期化処理Ａの排他ユニットに該当するユニットは、動作中でないことになる。
【００８２】
上記ステップＳ１０５において上記排他ユニットに該当するユニットが動作中であると判定された場合、初期化処理Ａを実行することはできない。よって、この場合、ＣＰＵ１７１は、初期化処理Ａを現在の装置状態中に開始することを決定せずに、本処理を終了する。
【００８３】
上記ステップＳ１０５において上記排他ユニットが動作中でないと判定された場合、ＣＰＵ１７１は、上記初期化処理情報を参照して、初期化処理Ａの動作時間が所定時間（例えば１０秒）以下であるか否かを判定する（ステップＳ１０６）。ここで、初期化処理Ａの動作時間が所定時間（例えば１０秒）以下であると判定された場合、ＣＰＵ１７１は、初期化処理Ａを現在の装置状態中に開始することを決定せずに、本処理を終了する。
【００８４】
例えばスタンバイ状態において初期化処理Ａが開始され、その直後にＦＤ排紙コピーモードが開始されたとしても、初期化処理Ａは短い時間で終了する。よって、初期化処理Ａの実行が、上記ＦＤ排紙コピーモードの実行に影響を与えることない。即ち、動作時間が所定時間以下である初期化処理Ａは、短い動作時間で完了することができるので、敢えて動作モードの実行中に開始する必要はなく、スタンバイ状態中に開始すればよい。
【００８５】
上記ステップＳ１０６において初期化処理Ａの動作時間が所定時間以下でないと判定された場合、ＣＰＵ１７１は、初期化処理Ａの実行が現在実行中の動作モードの動作に影響を与えるか否かを判定する（ステップＳ１０７）。ここで、動作時間が所定時間（１０秒）を超える初期化処理Ａが、例えばＦＤ排紙コピーモードとは関係がない場合、当該初期化処理Ａの実行は、実行中のＦＤ排紙コピーモードの動作に影響を与えることはない。このような初期化処理Ａに該当する初期化処理は、図１１に明示されていないが、実際には存在する。
【００８６】
上記ステップＳ１０７において初期化処理Ａの実行が現在実行されている動作モードの動作に影響を与えないと判定された場合、ＣＰＵ１７１は、現在の装置状態において初期化処理Ａを開始することを決定する（ステップＳ１０８）。そして、ＣＰＵ１７１は、本処理を終了する。これにより、上記初期化処理Ａは、現在の装置状態（動作モードの実行中）において開始されることになる。
【００８７】
このように、動作時間が所定時間（１０秒）を超える初期化処理Ａに対しては、その実行が現在実行されている動作モードの動作に影響が与えなければ、初期化処理Ａを動作モードの実行中に開始することが決定される。これは、すべての初期化処理を完了させるまでに要する時間を短縮することに寄与する。
【００８８】
上記ステップＳ１０７において初期化処理Ａの実行が現在実行されている動作モードの動作に影響を与えると判定された場合、ＣＰＵ１７１は、初期化処理Ａを現在の装置状態中に開始することを決定せず、本処理を終了する。この場合、初期化処理Ａに対しては、上記動作モードの終了後のスタンバイ状態においてその開始が決定されることになる。
【００８９】
このように、省略された初期化処理の開始を決定する際の現在の装置状態がスタンバイ状態にあるときには、それを開始することが無条件に決定される。これに対し、現在の装置状態が動作モードの実行中であるときには、上記ステップＳ１０４（Ｎｏ）〜ステップＳ１０７（Ｎｏ）の関係を成立させる、省略された初期化処理に対しては、その開始が決定される。
【００９０】
上記省略した初期化処理の決定処理においては、消費電力量および動作時間を考慮して初期化処理を開始するか否かの決定が行われるが、動作時間を考慮せずに省略した初期化処理を開始するか否かの決定を行うようにすることも可能である。この場合、処理がさらに簡素化される。この場合の決定処理は、図１２に示すフローチャートにおいて、ステップＳ１０６を省略した処理になる。
【００９１】
次に、スタンバイ状態において、実行中の省略された初期化処理を続行するか中断するかを決定するための処理について図１３を参照しながら説明する。図１３はスタンバイ状態において実行中の省略された初期化処理を続行するか中断するかを決定するための処理の手順を示すフローチャートである。図１３のフローチャートに示す手順は、ＣＰＵ１７１により、ＲＯＭ１７４に格納されているプログラムに従って、実行されるものである。
【００９２】
例えば、少なくともＦＤ排紙コピーモードを実行可能なスタンバイ状態において、ＦＤ排紙コピーモードに不必要な初期化処理（省略された初期化処理）の１つである初期化処理Ａの開始が決定されると、当該初期化処理Ａが開始される。ここで、初期化処理Ａの実行中に、動作モード（ＦＤ排紙コピーモードまたはそれと異なる動作モード）の開始が指示された場合、上記実行中の初期化処理を続行するか中断するかを決定するための処理が行われる。これは、現在実行中の初期化処理Ａ（それに対応するユニットの動作）が、上記開始が指示された動作モードの動作に影響を与える可能性があるので、この影響を回避するために行われるものである。
【００９３】
上記処理においては、図１３に示すように、ＣＰＵ１７１が、現在実行中の初期化処理Ａが、上記開始が指示された動作モードを実行可能にするために必要であるか否かを判定する（ステップＳ３０１）。ここで、上記初期化処理Ａが上記動作モードに必要であると判定された場合、ＣＰＵ１７１は、当該初期化処理Ａの続行とともに、上記動作モードの開始を少なくとも上記初期化処理Ａの完了後にすることを決定する（ステップＳ３０５）。そして、ＣＰＵ１７１は、本処理を終了する。これにより、上記開始が指示された動作モードに必要である初期化処理Ａは、続行されて完了する。そして、初期化処理Ａの完了後に、上記動作モードが開始される。但し、上記動作モードに必要なユニットの初期化処理（省略された初期化処理）のうち、上記初期化処理Ａの他に未完了の初期化処理がある場合には、当該未完了の初期化処理が実行される。そして、上記未完了の初期化処理が完了した後、上記動作モードが開始される。
【００９４】
上記ステップＳ３０１において上記初期化処理Ａが上記動作モードに必要でないと判定された場合、ＣＰＵ１７１は、上記初期化処理Ａが上記動作モードと並行して実行可能であるか否かを判定する（ステップＳ３０２）。この判定は、上記初期化処理Ａと上記動作モードを並行して実行した場合に、上記初期化処理Ａの消費電力値と上記動作モードの消費電力値との合計値Ｗが電力値Ｗｔｈを超えることなどを回避するために行われる。また、上記初期化処理Ａと上記動作モードを並行して実行した場合に、上記初期化処理Ａが上記動作モードの動作に影響を与えることを回避するために行われる。
【００９５】
上記ステップＳ３０２において上記初期化処理Ａが上記動作モードと並行して実行可能でないと判定された場合、ＣＰＵ１７１は、上記初期化処理Ａを中断することを決定する（ステップＳ３０３）。そして、ＣＰＵ１７１は、本処理を終了する。これにより、上記初期化処理Ａは、中断される。
【００９６】
上記ステップＳ３０２において上記初期化処理Ａが上記動作モードと並行して実行可能であると判定された場合、ＣＰＵ１７１は、当該初期化処理Ａを継続することを決定する（ステップＳ３０４）。そして、ＣＰＵ１７１は、本処理を終了する。これにより、上記初期化処理Ａが上記動作モードと並行して実行されることになる。
【００９７】
このようにして省略された初期化処理の実行中に動作モード（ＦＤ排紙コピーモードまたはそれと異なる動作モード）の開始が指示された場合、実行中の初期化処理の続行または中断が決定される。これにより、上記開始が指示された動作モードの開始が指示された場合に、当該動作モードの開始が遅延されることを極力回避することができる。
【００９８】
次に、本実施の形態における省略された初期化処理の実行例について図１４を参照しながら説明する。図１４は省略された初期化処理が実行される状態を模式的に示す図である。
【００９９】
上記ＦＤ排紙コピーモードに必要な初期化処理Ａ１が完了すると、図１４（ａ）に示すように、装置状態は、ＦＤ排紙コピーモードが実行可能なスタンバイ状態Ｃ１になる。そして、上記省略された初期化処理のそれぞれに対して、それを開始するか否かの決定処理が開始される。このスタンバイ状態Ｃ１において省略された初期化処理の１つ例えば初期化処理Ａ２を開始するか否かを決定する場合、この初期化処理Ａ２の開始が無条件に決定され、当該初期化処理Ａ２は、開始される。この初期化処理Ａ２としては、省略された初期化処理のいずれでもよい。この初期化処理Ａ２に続いて次の省略された初期化処理Ａ３の開始が決定されると、この初期化処理Ａが開始される。このようにして上記スタンバイ状態Ｃ１が継続し、このスタンバイ状態Ｃ１において全ての省略された初期化処理が完了すると、装置状態は、すべての動作モードを実行可能なスタンバイ状態Ｃ２になる。
【０１００】
ここで、初期化処理Ａ２の実行中に例えばＦＤ排紙コピーモードによるコピーの開始がユーザにより指示される場合がある。この場合、初期化処理Ａ２の排他ユニットに該当するユニットがＦＤ排紙コピーモードには不必要なユニットである。この場合、図１４（ｂ）に示すように、初期化処理Ａが上記ＦＤ排紙コピーモードと並行して実行可能であれば、初期化処理Ａ２は、中断されることなく続行される。また、初期化処理Ａ２と並行して、ＦＤ排紙コピーモードによるコピー動作（ＦＤ）が開始される。
【０１０１】
これに対し、初期化処理Ａ２が上記ＦＤ排紙コピーモードと並行して実行可能でなければ、図１４（ｃ）に示すように、初期化処理Ａ２は中断され、ＦＤ排紙コピーモードによるコピー動作（ＦＤ）が開始される。このＦＤ排紙コピーモードによるコピー動作が終了すると、装置状態はＦＤ排紙コピーモードを実行可能なスタンバイ状態Ｃ１に移行する。そして、このスタンバイ状態Ｃ１において初期化処理Ａ２の開始が決定されと、初期化処理Ａ２が開始される。
【０１０２】
また、初期化処理Ａ２の実行中にＦＤ排紙コピーモードと異なる動作モードＭの開始が指示される場合がある。ここで、上記初期化処理Ａ２が上記動作モードＭに不必要な初期化処理であれば、初期化処理Ａ２が上記動作モードＭと並行して実行可能であるか否かに応じて初期化処理Ａ２は続行または中断される。
【０１０３】
これに対し、初期化処理Ａ２が動作モードＭに必要な初期化処理である場合、図１４（ｄ）に示すように、初期化処理Ａ２は続行される。そして、初期化処理Ａ２の完了を待って、上記動作モードＭが開始される。
【０１０４】
また、初期化処理Ａ２の開始を決定するか否かの決定処理が、図１４（ｅ）に示すように、例えばＦＤ排紙コピーモードの実行中において行われる場合がある。この場合、初期化処理Ａ２が図１２のステップＳ１０４（Ｎｏ）〜ステップＳ１０７（Ｎｏ）の関係が成立するような初期化処理であれば、ＦＤ排紙コピーモードの実行中において初期化処理Ａ２の開始が決定される。そして、初期化処理Ａ２は、ＦＤ排紙コピーモードと並行して実行されることになる。
【０１０５】
以上により、本実施の形態によれば、装置状態を、ＦＤ排紙コピーモード（標準動作モード）を実行可能な状態から複数の動作モードを実行可能な状態へ、ユーザの利便性を損なうことなく移行させることができる。
【０１０６】
また、本発明の目的は、以下の処理を実行することによって達成される。即ち、上述した実行形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０１０７】
この場合、記憶媒体から読み出されたプログラムコード自体が前述した実施の形態の機能を実現することになり、そのプログラムコード及び該プログラムコードを記憶した記憶媒体は本発明を構成することになる。
【０１０８】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードを、ネットワークを介してダウンロードしてもよい。
【０１０９】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実行形態の機能が実現される場合も含まれる。
【０１１０】
更に、前述した実行形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【０１１１】
【図１】本発明の一実施の形態に係る画像形成装置の主要部の構成を模式的に示す縦断面図である。
【図２】図１の画像形成装置における用紙のフェイスダウン排紙、フェイスアップ排紙を行う際の用紙の搬送経路を模式的に示す図である。
【図３】図１のフィニッシャの主要部の構成を模式的に示す縦断面図である。
【図４】図１の画像形成装置の制御構成を示すブロック図である。
【図５】図４の画像メモリ部３００の構成を示すブロック図である。
【図６】図４の外部Ｉ／Ｆ処理部４００の構成を示すブロック図である。
【図７】図１のレーザスキャナユニット１０３ｙ，１０３ｍ，１０３ｃ，１０３ｋの構成を模式的に示す斜視図である。
【図８】ポリゴンモータ５０２の白黒高速プリント時のスピードに対応する回転数までの立ち上げとカラープリント時のスピードに対応する回転数までの立ち上げの状態を模式的に示す図である。
【図９】図４のフィニッシャ制御部２１１の構成を示すブロック図である。
【図１０】動作モードの一覧とそれぞれの動作モードの実行に必要なユニットを示す情報（第１の情報）の一例をテーブル形式で示す図である。
【図１１】初期化処理の一覧とそれぞれの初期化処理において動作させるべきユニットを示す情報（第２の情報）の一例をテーブル形式で示す図である。
【図１２】電源投入時またはスリープから復帰時において省略された初期化処理の実行タイミングを決定する処理の手順を示すフローチャートである。
【図１３】スタンバイ状態において実行中の省略された初期化処理を続行するか中断するかを決定するための処理の手順を示すフローチャートである。
【図１４】省略された初期化処理が実行される状態を模式的に示す図である。
【符号の説明】
【０１１２】
１０２ｙ〜１０２ｋ  プロセスユニット
１０４  中間転写ベルト
１０６  二次転写ローラ
１０８  反射光量センサ
１０９  用紙カセット
１１３  定着ユニット
１１７  自動原稿給紙装置
１１８  原稿読取装置１１８
１１９  フィニッシャ
１２８  スタックトレイ
１７１  ＣＰＵ
１７２  操作部
１７４  ＲＯＭ
１７５  ＲＡＭ
２１１  フィニッシャ制御部
６００  シート穿孔装置６００
７００  スタック処理装置７００
【図１】
2009217144.tif 000003
【図２】
2009217144.tif 000004
【図３】
2009217144.tif 000005
【図４】
2009217144.tif 000006
【図５】
2009217144.tif 000007
【図６】
2009217144.tif 000008
【図７】
2009217144.tif 000009
【図８】
2009217144.tif 000010
【図９】
2009217144.tif 000011
【図１０】
2009217144.tif 000012
【図１１】
2009217144.tif 000013
【図１２】
2009217144.tif 000014
【図１３】
2009217144.tif 000015
【図１４】
2009217144.tif 000016